(57)【要約】      （修正有）【課題】装着容易で、調整容易で集音効果に優れ、さらに、携帯性に優れた耳あて集音器を提供する。【解決手段】頭部に掛ける装着部２と、該装着部に取り付けられる耳あて部３、４と、を有する耳あて集音器１であって、装着部２は頭部に掛けるためにＵ字状に湾曲した頭掛部２ａと、該頭掛部２ａの両方の端部に設ける棒状の部材装着軸２ｂと、を有し、耳あて部３、４は人の耳より大きくて集音効果を発揮する集音部３ａ、４ａと，該集音部の根本に設ける円筒状の基部３ｂ、４ｂと、を有し、部材装着軸２ｂに対して基部３ｂ、４ｂが摺動可能で且つ回動可能になる差し込み構成にした。【選択図】図２
0003221767.tif 000002
【実用新案登録請求の範囲】
【請求項１】
頭部に掛ける装着部と、該装着部に取り付けられる耳あて部とを有する耳あて集音器であって、
前記装着部は、頭部に掛けるためにＵ字状に湾曲した頭掛部と、該頭掛部の両方の端部に設ける棒状の部材装着軸と、を有し、
前記耳あて部は、人の耳より大きくて集音効果を発揮する集音部と、該集音部の根本に設ける円筒状の基部と、を有し、
前記部材装着軸に対して、前記基部が、摺動可能で且つ回動可能になる差し込み構成にしたことを特徴とする耳あて集音器。
【請求項２】
前記頭掛部は、板状の樹脂製でありＵ字状に湾曲した状態を維持する弾性を有し、この湾曲した板状部材の両端に棒状の前記部材装着軸を備えていることを特徴とする請求項１に記載の耳あて集音器。
【請求項３】
前記頭掛部と前記部材装着軸は、一体の樹脂成型品から成ることを特徴とする請求項１または２に記載の耳あて集音器。
【請求項４】
前記集音部と前記基端部は共にエラストマーから成ることを特徴とする請求項１から３のいずれかに記載の耳あて集音器。
【請求項５】
前記集音部と前記基端部は、一体のエラストマー成型品から成ることを特徴とする請求項４に記載の耳あて集音器。
【請求項６】
前記集音部と前記基端部は共にシリコンゴムから成ることを特徴とする請求項１から３のいずれかに記載の耳あて集音器。
【請求項７】
前記集音部と前記基端部は、一体のシリコンゴム成型品から成ることを特徴とする請求項６に記載の耳あて集音器。
【請求項８】
前記頭掛部のＵ字状に湾曲した内側にスポンジ部材を貼付したことを特徴とする請求項２から７のいずれかに記載の耳あて集音器。
【考案の詳細な説明】
【技術分野】
【０００１】  本考案は、所定の方向からの音を集音して聞きやすくするために用いる耳あて集音器に関する。
【背景技術】
【０００２】  講演会場やコンサートホールなどにおいて、ステージから離れた位置においては、講演内容や音響などが聞こえ難いことがある。そのために、耳の集音面積を拡大して集音効果を上げて聞こえ易くする集音器具や補聴器具が種々考案されている。【０００３】  例えば、頭部に掛ける掛け部材の両端に、耳の外周から外に張り出す張り出し部を装着して、集音効果を高める耳あて集音具が既に提案されている（特許文献１参照）。【０００４】  また、頭部に装着する装着体に折りたたみ式の集音体を取り付けて、携帯容易とした折りたたみ式集音器も既に提案されている（特許文献２参照）。
【先行技術文献】
【特許文献】
【０００５】
【特許文献１】実開平１−１８１０９８号公報
【特許文献２】実開平１−１１７７００号公報
【考案の概要】
【考案が解決しようとする課題】
【０００６】  広い会場で講演やコンサートを聴衆したり鑑賞したりする場合には、座席の位置により、または、ステージからの距離により音が聞き取り難いことがある。このような場合には、耳の集音性を高めるための耳あて集音器を用いるとよい。また、耳あて集音器を用いることにより、自宅等でテレビを見る際に聴力の下がった人が健常者と同じように聞き取れるように増幅できる。このような耳あて集音器は、携帯性が良いことに加えて、簡単に装着できて、頭部への装着性が良好で、且つ、装着時に違和感がなく、高い集音効果が得られることが好ましい。【０００７】  また、製造容易で安価に製造できることが好ましく、さらには、使う人の頭の大きさに応じて、左右の集音具の位置を、聞こえの良い位置に容易に調整できる構造であることが好ましい。また、問題なく長時間装着できるように、肌触りが良く、良好に装着できることが好ましい。【０００８】  本考案は、上記問題点に鑑み、装着容易で、調整容易で集音効果に優れ、さらに、携帯性に優れた耳あて集音器を提供することを目的とする。
【課題を解決するための手段】
【０００９】  上記課題を解決するために本考案は、頭部に掛ける装着部と、該装着部に取り付けられる耳あて部とを有する耳あて集音器であって、前記装着部は頭部に掛けるためにＵ字状に湾曲した頭掛部と該頭掛部の両方の端部に設ける棒状の部材装着軸とを有し、前記耳あて部は人の耳より大きくて集音効果を発揮する集音部と該集音部の根本に設ける円筒状の基部とを有し、前記部材装着軸に対して前記基部が摺動可能で回動可能になる差し込み構成にしたことを特徴とする。【００１０】  この構成によると、頭部に掛ける頭掛部の下端に設ける部材装着軸に耳あて部を容易に装着できて、使用する人の耳に適した位置に摺動移動でき、さらには、集音部の方向を所望の方向に合わせるように回動可能になる耳あて集音器を得ることができる。すなわち、本考案によれば、装着容易で、調整容易で集音効果に優れ、さらに、携帯性に優れた耳あて集音器を得ることができる。【００１１】  また本考案は、上記構成の耳あて集音器において、前記頭掛部は、板状の樹脂製でありＵ字状に湾曲した状態を維持する弾性を有し、この湾曲した板状部材の両端に棒状の前記部材装着軸を備えていることを特徴としている。この構成によると、Ｕ字状に湾曲した頭掛部を広げるようにして頭部に簡単に装着できて、頭部への装着性が良好で、且つ、装着時に違和感がない頭掛部になる。【００１２】  また本考案は、上記構成の耳あて集音器において、前記頭掛部と前記部材装着軸は、一体の樹脂成型品から成ることを特徴としている。この構成によると、頭部に掛ける装着部が製造容易で安価に製造可能になる。【００１３】  また本考案は、上記構成の耳あて集音器において、前記集音部と前記基端部は共にエラストマーから成ることを特徴としている。また、前記集音部と前記基端部は共にシリコンゴムから成ることを特徴としている。この構成によると、肌触りが良く集音効果に優れた耳あて部を得ることができる。【００１４】  また本考案は、上記構成の耳あて集音器において、前記集音部と前記基端部は、一体のエラストマー成型品から成ることを特徴としている。また、前記集音部と前記基端部は、一体のシリコンゴム成型品から成ることを特徴としている。この構成によると、耳かけ部が製造容易で安価に製造可能になる。【００１５】  また本考案は、上記構成の耳あて集音器において、前記頭掛部のＵ字状に湾曲した内側にスポンジ部材を貼付したことを特徴としている。この構成によると、肌触りがよく装着性が向上し、装着時の安定感も向上する。
【考案の効果】
【００１６】  本考案によれば、装着容易で、調整容易で集音効果に優れ、さらに、携帯性に優れた耳あて集音器を得ることができる。
【図面の簡単な説明】
【００１７】
【図１】本考案に係る耳あて集音器の装着例を示す概略説明図である。
【図２】本考案に係る耳あて集音器の一例を示す全体斜視図である。
【図３】本考案に係る耳あて集音器の他の例を示す全体斜視図である。
【図４】本考案に係る耳あて集音器の正面図である。
【図５】本考案に係る耳あて集音器の構成を説明するための分解図であって、（Ａ）は装着部を示し、（Ｂ）は耳あて部を示す。
【図６】本考案に係る耳あて集音器の説明図であって、（Ａ）は装着前の装着部を示し、（Ｂ）は装着時の装着部を示す。
【図７】本考案に係る耳あて集音器の上面図である。
【考案を実施するための形態】
【００１８】  以下に本考案の実施形態を図面を参照して説明するが、本考案はこれにより何ら制限されるものではない。また、同一構成部材については同一の符号を用い、重複する説明は適宜省略する。まず本実施形態に係る耳あて集音器１の一例について図１、図２を用いて説明する。
【００１９】  図１は本考案に係る耳あて集音器の装着例を示す概略説明図であり、図２は本考案に係る耳あて集音器１の一例を示す全体斜視図である。図１の装着例に示すように本考案に係る耳あて集音器１は、耳の集音性を高めるために用いる集音器であって、頭部に掛ける装着部２と、該装着部２に取り付けられる耳あて部３、４とを有する構成である。
【００２０】  また、図２に示すように、装着部２は頭部に掛けるためにＵ字状に湾曲した頭掛部２ａと、該頭掛部２ａの両方の端部に設ける棒状の部材装着軸２ｂと、を有する。左耳側の耳あて部３は、人の耳より大きくて集音効果を発揮する集音部３ａと、該集音部の根本に設ける円筒状の基部３ｂと、を有する。同様に右耳側の耳あて部４は、人の耳より大きくて集音効果を発揮する集音部４ａと、該集音部の根本に設ける円筒状の基部４ｂと、を有する。そして、部材装着軸２ｂに対して、基部３ｂ、４ｂが摺動可能で且つ回動可能になる差し込み構成にしたことを特徴としている。
【００２１】  図１、図２に示す耳あて集音器１は頭掛部２ａに続く傾斜部２ｃを介して部材装着軸２ｂを設けている。これは、頭に装着する頭掛部２ａの位置と部材装着軸２ｂの好適な位置とに応じて設けるものである。また、傾斜部２ｃを備えていない他の例について図３を用いて説明する。図３に示す耳あて集音器１Ａは、傾斜部２ｃを備えず、頭掛部２ａに連続して部材装着軸２ｂを直に設ける構成の装着部２Ａを備える。
【００２２】  傾斜部２ｃを備えるか備えないかは、頭の形と耳の位置とにより、装着性がよい好適なものを選択するとよい。装着部２を備える耳あて集音器１も装着部２Ａを備える耳あて集音器１Ａでも、正面から見ると図４に示す正面図のようになる。従って、本考案に係る耳あて集音器１、１Ａは、頭部に掛ける装着部２、２Ａと、該装着部２、２Ａに取り付けられる耳あて部３、４と、を有する構成といえる。
【００２３】  集音効果を発揮するとは、遠くの音でも聞こえ易くなるように、耳に音を集める作用を発揮することを言う。従って、集音部３ａ、４ａは人の耳の後ろ側に装着され耳に音を集める集音効果を発揮するように前側に向けて湾曲している。また、音を耳に伝え易い材質から成ることが好ましい。そして、耳の外形に近似して外側に張り出すような大きさであって、例えば、人の耳の幅と長さの約２倍のサイズを有する形状とされる。すなわち、人の耳より大きいとは、外形が人の耳よりも大きくて集音面積が大きくなることである。
【００２４】  また、集音面積が異なる複数のサイズの耳あて部３、４を準備しておくこともできる。例えば、集音効果に応じて、大、中、小、の複数の耳あて部３、４を予め用意しておくとよい。この場合でも、基部３ｂ、４ｂは同じサイズでよいことは明らかである。すなわち、本考案に係る耳あて集音器１は、図５（Ａ）に示す装着部２と、図５（Ｂ）に示す耳あて部３、４との組み合わせ構成であり、集音面積の異なる耳あて部３、４を選択して任意に着脱可能とされる。
【００２５】  図５（Ｂ）には耳あて部３、４の形態を示すために正面図と上面図を上下に示している。耳あて部３、４の大きさは例えば、図５（Ｂ）に示す幅Ｈ１が６０〜９０ｍｍで長さＬ１が１００〜１５０ｍｍ程度が想定される。本実施形態においては幅Ｈ１が７８ｍｍで長さＬ１が１３０ｍｍのものを用いた。また、お椀状の深さＴ１は４０ｍｍとしている。このサイズは一例であって、特に限定されるものではない。
【００２６】  耳あて部３、４は部材装着軸２ｂに対して摺動可能で且つ回動可能になる嵌め合いの差し込み構成されている。すなわち、図４の正面図に示すように、矢印Ｄ１方向に摺動可能とされる。また、図７の上面図に示すように、矢印Ｄ３方向に回動可能とされる。これにより、耳あて部３、４を装着する人の好適な位置に配置でき、さらに、それぞれ所望の方向に向けることができて、効果的な集音機能を発揮可能になる。
【００２７】  上記したように、本考案に係る耳あて集音器１、１Ａは、頭部に掛ける頭掛部２ａ、２Ａａの下端に設ける部材装着軸２ｂに耳あて部３、４を容易に装着できて、使用する人の耳に適した位置に摺動移動でき、さらには、集音部の方向を所望の方向に合わせることができる。
【００２８】  頭掛部２ａ、２Ａａは、例えば板状の樹脂製品から成り、樹脂成型品として作製できる。ここではポリプロピレン樹脂を用いている。板厚は２．０〜３．０ｍｍ程度で幅は１５〜２５ｍｍ程度でよい。ここでは、板厚３ｍｍで幅２０ｍｍとしている。
【００２９】  また、所定のＵ字状に成型することで、Ｕ字状部分を開閉する方向に所定の弾性を発揮可能になる。そのために、予め、人の頭の幅よりも少し狭いサイズのＵ字状に成型しておくことで、Ｕ字状に湾曲した頭掛部２ａ、２Ａａを広げるようにして頭部に簡単に装着できる。
【００３０】  すなわち、図６（Ａ）に示す装着前の状態では、装着部２、２ＡのＵ字状部分の間隔が狭く、矢印Ｄ２方向の開閉方向に弾性を発揮して、これを開いて頭に装着すると図６（Ｂ）に示すように、人の頭部にぴったり嵌る構成となる。また、装着時には、弾性により生じる押付力Ｆ１が作用する。従って、所定の開閉する方向の弾性により頭部への装着性が良好で、且つ、装着時に違和感がない装着部２、２Ａを得ることができる。
【００３１】  また、図５（Ａ）に示すように、装着部２、２Ａの頭掛部のＵ字状に湾曲した内側にスポンジ部材５を貼付する構成であってもよい。所定厚みの、例えば、厚み２〜５ｍｍ程度のスポンジ部材を貼付することで、さらに、肌触りがよく装着性が向上する。また、装着時の安定感も向上する。
【００３２】  部材装着軸２ｂは、頭掛部２ａ、２Ａａとは別部品として作製して頭掛部２ａ、２Ａａに取り付けてもよく、一体の樹脂成型品として作製してもよい。本実施形態ではポリプロピレン樹脂を用いた一体樹脂成型品としている。これにより、頭部に掛ける装着部２、２Ａを容易にまた安価に製造可能になる。
【００３３】  耳あて部３、４も樹脂成型品で作製できる。特に、弾性を有する樹脂であれば集音効果も良好で、肌触りも良くて好ましい。この樹脂としては例えば、比較的安価なエラストマーを用いることができる。また、人体への影響がなく肌触りの良いシリコンゴム成型品を用いてもよい。この耳あて部３、４は前述したように複数サイズのものを準備しておくとよい。すなわち本考案に係る耳あて集音器１、１Ａは、樹脂成型品から成る装着部２とエラストマーまたはシリコンゴム製の耳あて部３、４とを組み合わせて用いるものであって、必要に応じて、所定の材質および所望のサイズの耳あて部３、４を交換して装着可能にしたものである。
【００３４】  耳あて部３、４の集音部３ａ、４ａと基部３ｂ、４ｂとは別部品として作製して組付け構成してもよく一体の樹脂成型品で作製してもよい。本実施形態ではエラストマーを用いた一体成型品としている。これにより、頭部に掛ける装着部２に取り付ける耳あて部３、４を容易にまた安価に製造可能になる。また、シリコンゴムを用いた一体成型品であってもよい。
【００３５】  耳あて部３、４の基部３ｂ、４ｂがエラストマーまたはシリコンゴムから成るので、耳あて集音器１、１Ａを装着した場合には、このエラストマーまたはシリコンゴムから成る基部３ｂ、４ｂが人の耳の裏側部位に当接する。そのため、比較的軟らかい材質で、且つ、丸い形状の基部３ｂ、４ｂが当接するので、人に対して痛みを与えず、違和感も小さくできて好適である。
【００３６】  耳あて部３、４が部材装着軸２ｂに対して摺動可能で且つ回動可能になる嵌め合い構成とするには、部材装着軸２ｂの軸外径と基部３ｂ、４ｂの穴内径との嵌め合いを所定の寸法にすることで実現できる。例えば、ポリプロピレン樹脂から成る部材装着軸２ｂの軸外径に対してエラストマーまたはシリコンゴムから成る基部３ｂ、４ｂの穴内径を少し小さくするとよい。この寸法差はエラストマーまたはシリコンゴムの軟らかさにより調整すればよく、０〜−０．４ｍｍ程度が想定される。本実施形態では、部材装着軸２ｂの軸外径８ｍｍに対して基部３ｂ、４ｂの穴内径を７．８ｍｍ（−０．２ｍｍ）にしている。
【００３７】  部材装着軸２ｂの材質と軸外径、および、基部３ｂ、４ｂの材質と穴内径とを、上記構成にすることにより、耳あて部３、４が部材装着軸２ｂに対して摺動可能で且つ回動可能になる嵌め合い構成となる。
【００３８】  部材装着軸２ｂの材質と基部３ｂ、４ｂの材質が上記の材質と異なる材質であってもよいが、材質の違いに適した軸外径と穴内径とを考慮することで、耳あて部３、４が部材装着軸２ｂに対して摺動可能で且つ回動可能になる嵌め合い構成となることは明らかである。
【００３９】  耳あて部３、４が部材装着軸２ｂに対して摺動可能であるので、持ち運びの際には、耳あて部３、４を取り外した状態でコンパクトにして携帯容易となる。また、耳あて部３、４が部材装着軸２ｂに対して回動可能であるので、持ち運びの際には、耳あて部３、４を内側に折り畳んで小さくできて携帯性が良好になる。いずれにしても、本考案に係る耳あて集音器１、１Ａは携帯容易となって好ましい。
【００４０】  また、頭部に掛ける装着部２、２Ａや耳あて部３、４が樹脂成型品から成るので、これらの色を自由に設定して製造可能になる。そのために、好みの色の耳あて集音器１、１Ａを携帯し着用できる。また、それぞれの色を変えて楽しむこともできる。
【００４１】  上記したように本考案によれば、頭部に掛ける装着部２と、該装着部２に取り付けられる耳あて部３、４とを有する耳あて集音器１、１Ａであって、装着部２は頭部に掛けるためにＵ字状に湾曲した頭掛部２ａと該頭掛部２ａの両方の端部に設ける棒状の部材装着軸２ｂとを有し、耳あて部３、４は人の耳より大きくて集音効果を発揮する集音部３ａ、４ａと該集音部３ａ、４ａの根本に設ける円筒状の基部３ｂ、４ｂとを有し、部材装着軸２ｂに対して基部３ｂ、４ｂが摺動可能で且つ回動可能になる差し込み構成にしたことを特徴としている。
【００４２】  この構成であれば、頭部に掛ける頭掛部２ａ、２Ａａの下端に設ける部材装着軸２ｂに耳あて部３、４を容易に装着できて、使用する人の耳に適した位置に摺動移動でき、さらには、集音部３ａ、４ａの方向を所望の方向に合わせるように回動可能になる耳あて集音器１、１Ａを得ることができる。
【００４３】  上記したように、本考案に係る耳あて集音器１、１Ａは、使う人の頭の大きさに応じて、左右の集音具の位置を、聞こえの良い位置に容易に調整できる構造であり、また、問題なく長時間装着できるように、肌触りが良く、良好に装着できるものである。すなわち、本考案によれば、装着容易で、調整容易で集音効果に優れ、さらに、携帯性に優れた耳あて集音器１、１Ａを得ることができる。
【００４４】  そのために本考案は、携帯性が良いことに加えて、簡単に装着できて、頭部への装着性が良好で、且つ、装着時に違和感がなく、高い集音効果が求められる集音器に好適に利用可能となる。
【符号の説明】
【００４５】      １、１Ａ  耳あて集音器
２、２Ａ      装着部
２ａ、２Ａａ  頭掛部
２ｂ、２Ａｂ  部材装着軸
２ｃ  傾斜部
３    耳あて部
３ａ  集音部
３ｂ  基部
４    耳あて部
４ａ  集音部
４ｂ  基部
５    スポンジ部材
【図１】
0003221767.tif 000003
【図２】
0003221767.tif 000004
【図３】
0003221767.tif 000005
【図４】
0003221767.tif 000006
【図５】
0003221767.tif 000007
【図６】
0003221767.tif 000008
【図７】
0003221767.tif 000009
【手続補正書】
【提出日】平成31年3月27日(2019.3.27)
【手続補正１】
【補正対象書類名】実用新案登録請求の範囲
【補正対象項目名】全文
【補正方法】変更
【補正の内容】
【実用新案登録請求の範囲】
【請求項１】
頭部に掛ける装着部と、該装着部に取り付けられる耳あて部とを有する耳あて集音器であって、
前記装着部は、頭部に掛けるためにＵ字状に湾曲した頭掛部と、該頭掛部の両方の端部に設ける棒状の部材装着軸と、を有し、
前記耳あて部は、人の耳より大きくて集音効果を発揮する集音部と、該集音部の根本に設ける円筒状の基部と、を有し、
前記部材装着軸に対して、前記基部が、摺動可能で且つ回動可能になる差し込み構成にしたことを特徴とする耳あて集音器。
【請求項２】
前記頭掛部は、板状の樹脂製でありＵ字状に湾曲した状態を維持する弾性を有し、この湾曲した板状部材の両端に棒状の前記部材装着軸を備えていることを特徴とする請求項１に記載の耳あて集音器。
【請求項３】
前記頭掛部と前記部材装着軸は、一体の樹脂成型品から成ることを特徴とする請求項１または２に記載の耳あて集音器。
【請求項４】
前記集音部と前記基部は共にエラストマーから成ることを特徴とする請求項１から３のいずれかに記載の耳あて集音器。
【請求項５】
前記集音部と前記基部は、一体のエラストマー成型品から成ることを特徴とする請求項４に記載の耳あて集音器。
【請求項６】
前記集音部と前記基部は共にシリコンゴムから成ることを特徴とする請求項１から３のいずれかに記載の耳あて集音器。
【請求項７】
前記集音部と前記基部は、一体のシリコンゴム成型品から成ることを特徴とする請求項６に記載の耳あて集音器。
【請求項８】
前記頭掛部のＵ字状に湾曲した内側にスポンジ部材を貼付したことを特徴とする請求項２から７のいずれかに記載の耳あて集音器。
【手続補正２】
【補正対象書類名】明細書
【補正対象項目名】００１３
【補正方法】変更
【補正の内容】
【００１３】  また本考案は、上記構成の耳あて集音器において、前記集音部と前記基部は共にエラストマーから成ることを特徴としている。また、前記集音部と前記基部は共にシリコンゴムから成ることを特徴としている。この構成によると、肌触りが良く集音効果に優れた耳あて部を得ることができる。
【手続補正３】
【補正対象書類名】明細書
【補正対象項目名】００１４
【補正方法】変更
【補正の内容】
【００１４】  また本考案は、上記構成の耳あて集音器において、前記集音部と前記基部は、一体のエラストマー成型品から成ることを特徴としている。また、前記集音部と前記基部は、一体のシリコンゴム成型品から成ることを特徴としている。この構成によると、耳かけ部が製造容易で安価に製造可能になる。